(57)【要約】  本発明はパッケージ交換通信能力を備えたモバイル通信ネットワークノードに関し、このネットワークは、1つまたは複数の移動局と、移動局との通信を提供する1つまたは複数のサービスプロバイダと、このネットワークにおよびサードパーティユーザに接続された1つまたは複数の管理プラットフォームと、移動局と通信する1つまたは複数のユーザと、を備えており、このモバイル通信ネットワークは、サーバによって接続、デバイス構成およびユーザアプリケーション命令に関して移動局を構成するように構成されており、それは、接続に関するAPNアドレス、運営者の通信技術に関するユビキタスインターフェース、デバイス構成に関する製造者規則およびアプリケーション実行に関するカスタマー命令に関する様々なテーブルやファイルを包含したデータベースから導出される命令を中継するために移動局内のプログラム可能なエージェントまたは制御ユニットと通信している。
2016500946.tif 000002
【特許請求の範囲】
【請求項１】
パッケージ交換通信能力を備えた通信ネットワークで使用されるモバイル通信ネットワークノードであって、前記通信ネットワークは、
1つまたは複数のネットワークを通じて前記通信ネットワークとの通信を提供する1つまたは複数のサービスプロバイダと、
前記ネットワークのいずれかに接続可能な1つまたは複数の移動局またはデバイスと、
を備えており、前記移動局内にプログラム可能な制御ユニットを備えたエージェントと通信して前記移動局の構成および管理のための命令を提供するように構成された命令を移動局に、提供するように構成された手段を備えることを特徴とするモバイル通信ネットワークノード。
【請求項２】
前記ノード内の前記手段が、データベース内に、
モバイル通信ネットワークに接続された運営者ネットワークのアクセスポイント名(APN)アドレスのテーブル、
前記運営者ネットワークによって使用される技術に従ったデバイスの構成を容易にするためのユビキタスインターフェース、
様々な製造者からの移動局内の様々なタイプのモデムに関する構成規則のテーブル、
多くのバーチカルな産業アプリケーションに関する命令のテーブル、
前記ネットワーク上に展開されたすべてのカスタマーデバイスに関する一意の識別番号を包含したカスタマーファイル、
のうちの1つまたは複数を包含したサーバである、請求項1に記載のノード。
【請求項３】
前記一意の識別情報が前記移動局の国際移動体装置識別(IMEI)の番号である、請求項2に記載のノード。
【請求項４】
前記サーバは、
各移動局においてSIM内にプロフィール設定された（profiled）ホームサービス運営者のネットワークのAPNアドレス、
ネットワーク技術を含め展開に関するその地理的および/または追加的な側面に従ったすべての移動局のSIM接続のための指定のAPNアドレス、
製造者のおよびユーザの要件に従ったすべての移動局の構成、
ユーザ要件に従ったすべての移動局に関するアプリケーション命令、
のうちの1つまたは複数に関する情報をさらに包含している、請求項2または3に記載のノード。
【請求項５】
サーバは、前記サーバと前記デバイスの間に設定されるIPトンネルによってモデムを介して、あるいはインターネットを経由したユーザデータグラムプロトコル(UDP)またはモバイルネットワーク運営者(MNO)プロトコルを用いたオープンセッションを介して前記エージェントと通信するように構成されている、請求項1に記載のノード。
【請求項６】
前記サーバは、
ホーム運営者のネットワークに対する前記デバイス内の前記SIMの登録およびオート接続をリモートで監視するステップ、
障害発生時に前記ホーム運営者のネットワークに対する前記デバイス内の前記SIMの登録およびオート接続を支援するステップ、
サーバデータベース内に包含された前記規則からかつ前記運営者ネットワークによって使用される前記技術に従って前記デバイスの前記構成に関する命令を提供するステップ、
前記カスタマーファイルおよびAPNアドレスの前記テーブル内に包含された前記情報に従って前記ホーム運営者のネットワークから別の指定のネットワークへの前記デバイス内の前記SIMの接続の移行に関する命令を提供するステップ、
前記カスタマーファイルおよびバーチカルなアプリケーションの前記テーブル内に包含された前記情報に従って前記デバイス内へのアプリケーション命令のロードに関する命令を提供するステップ、
のうちの1つまたは複数を実行するためにエージェントと通信することが可能である、請求項4に記載のノード。
【請求項７】
前記移動局はSIMカードを備えており、前記SIMカードは、
前記SIMカードが、元のサービスプロバイダネットワークを通じて提供されるホーム運営者のAPNアドレスであるネットワークAPNアドレスを用いてプロフィール設定されるという特徴と、
前記SIMカードが、別個のものであることも、前記移動局やモデムの本体上にインプリントされるか前記本体内に直接埋め込まれることもあるという特徴と、
前記SIMカードが、ホーム運営者のネットワークに対するオート接続を許容するようにモデムを介してそのネットワークに登録されることがあるという特徴と、
前記SIMカードが、前記移動局内の前記制御ユニットに永続的に接続されるとともに前記制御ユニットと常時通信状態にあるという特徴と、
前記SIMカードが、オート接続に対する障害発生時に前記制御ユニットによって前記ホーム運営者のネットワークに対して接続するように支援されるという特徴と、
を有する、請求項1に記載のノード。
【請求項８】
前記SIMカードの前記接続は、カスタマーファイルおよび前記APNテーブル内に包含された情報に従って、前記制御ユニットを介して前記ネットワークのサーバによって指示されたとき、ホーム運営者のネットワークから、モバイル通信ネットワークに接続された指定のネットワークへと引き続いて移行されている、請求項7に記載のノード。
【請求項９】
前記ホーム運営者のネットワークへの前記SIMの接続後に、前記制御ユニットによって前記移動局に対する常時アクセスおよびこの逆のアクセスが維持されるように構成され、それによりデバイス管理プラットフォームの役割をする、請求項7に記載のノード。
【請求項１０】
前記SIMは、データ使用がカスタマーファイル内の事前承諾済みの限界を超えた場合にサーバから前記制御ユニットへの命令によって前記ネットワークから切断される、請求項7に記載のノード。
【請求項１１】
前記ネットワークは、制御ユニット、モデムおよびSIMを備えた前記移動局を、前記ネットワークには前記移動局が固定ライン接続であるように見えるやり方で通信する相手となり得るシステムとして認識する、請求項1に記載のノード。
【請求項１２】
前記移動局は、前記ネットワークには固定ライン接続に見えるように構成され、これによりワイヤレスデバイスとの通信を提供するために前記ネットワークの構成を変更することを回避している、請求項1に記載のノード。
【請求項１３】
サードパーティユーザに対して公共インターネットを経由したアクセス構成によってまたはその他の接続手段によってそのデバイスに対する管理への介入を可能にするための手段を備える請求項1に記載のノード。
【請求項１４】
通信ネットワークと通信するためのパッケージ交換通信のための手段を備えた、前記通信ネットワークで使用される移動局であって、
少なくとも1つの一意の識別情報構成と、
少なくとも1つのGPRSモデムデバイスと、
少なくとも1つのSIMと、
少なくとも1つの制御ユニットまたはエージェントと、
を備えており、ネットワークサーバから前記制御ユニットを介して情報および命令を受け取るための手段をさらに備え、ホームサービスプロバイダネットワークに自動的に接続するように構成された前記SIM内に指定されたホーム運営者のAPNアドレスを呼び出すように構成され、セキュアな識別を保証するためにモバイルネットワークサーバにその一意の識別番号を付けるように通知することを特徴とする移動局。
【請求項１５】
前記一意の識別情報構成は前記移動局の国際移動体装置識別(IMEI)番号であり、前記移動局を識別するために使用されている、請求項14に記載の移動局。
【請求項１６】
前記SIMカードは、
前記SIMカードが、副次的な識別手段の役割をする前記ホームサービスプロバイダネットワークの前記APNアドレスを用いてプロフィール設定されているという特徴と、
前記SIMカードが、別個のものであり、保持用スロット内に挿入されるか、前記移動局やモデムの本体上にインプリントされるか前記本体内に直接埋め込まれるという特徴と、
を有する、請求項14に記載の移動局。
【請求項１７】
前記APNアドレスは前記制御ユニット内およびネットワークサーバデータベースのカスタマーファイル内に包含されている、請求項14に記載の移動局。
【請求項１８】
前記デバイス内のモデムは、前記SIMの登録およびオート接続を許容するためだけに前記ホーム運営者に連絡するようにプログラムされている、請求項14に記載の移動局。
【請求項１９】
前記ネットワークによって、SIMカードまたはチップをサービスプロバイダネットワークに対してそのAPNアドレスを通して接続および/または切断するように指示されるように構成されている請求項14に記載の移動局。
【請求項２０】
前記すべてのAPNアドレスがネットワークサーバのデータベース内にあるテーブルに包含されている、請求項14に記載の移動局。
【請求項２１】
前記移動局内のモデムには、前記SIM内にプロフィール設定された前記ホーム運営者のAPNアドレスのみが提供されている、請求項14に記載の移動局。
【請求項２２】
前記SIMカードまたはチップは、展開の間に前記デバイスの内部に設けられ、最終ユーザによってオンに切替えられるときにリモートで再起動され、かつ前記ホームサービスプロバイダネットワークにオート接続される、請求項14に記載の移動局。
【請求項２３】
リモートで起動されるとき、前記エージェントを介して前記ネットワークと、およびバックオフィス機能を介してユーザと常時連絡状態に保たれる、請求項14に記載の移動局。
【請求項２４】
前記SIMカードまたはチップの前記接続は、モバイルネットワークに接続された他の任意のサービスプロバイダに移行されるように構成されており、
前記SIMカードまたはチップは前記ネットワークによって前記エージェントを介して、前記SIMカードまたはチップにプロフィール設定されたホームサービスプロバイダのAPNから切断するように指示されるように構成されており、
前記SIMカードまたはチップは前記ネットワークによって前記エージェントを介して、サーバデータベース内に包含された指定のサービスプロバイダAPNアドレスに接続するように指示されるように構成されている、
請求項14に記載の移動局。
【請求項２５】
前記制御ユニットは、ホームサービスプロバイダの前記APNアドレスによる展開の前に事前プログラムされている、請求項14に記載の移動局。
【請求項２６】
前記制御ユニットは、前記デバイスに関する前記一意の識別番号である前記移動局の国際移動体装置識別(IMEI)番号による展開の前に事前プログラムされている、請求項14に記載の移動局。
【請求項２７】
前記制御ユニットは、
前記サーバから受け取るに従って情報を前記SIMおよび/またはモデムに中継するステップと、
前記サーバと前記デバイスの間に(IP)トンネルを設定するか、UDPまたは他の任意のMNOプロトコルを用いてインターネットを経由してオープンセッションを構成するステップと、
前記ホーム運営者のネットワークに対する前記デバイス内の前記SIMの登録およびオート接続を監視するために前記ネットワークサーバと通信するステップと、
障害発生時に前記ホーム運営者のネットワークに対する前記デバイス内の前記SIMの登録およびオート接続を支援するステップと、
サーバデータベース内に包含された規則から前記デバイスの前記構成に関する命令を提供するためにネットワークサーバと通信するステップと、
カスタマーファイルおよび前記サーバデータベース内に包含されたAPNアドレスのテーブル内に包含された情報に従って前記デバイス内の前記SIMの接続の前記ホーム運営者のネットワークから別の指定のネットワークへの移行に関する命令を提供するためにネットワークサーバと通信するステップと、
前記SIMに指定のAPNを検索するように指示するステップであって、前記SIMが登録されると前記運営者はオート接続機能に前記呼び出しを保持させるために前記エージェントへのハンドオフを構成し、前記デバイスを新たな運営者のAPNに接続するように無線で再構成し、前記エージェントは次いでモバイルネットワークに対してその新たな接続状態を確認し、前記移動局は前記エージェントのデバイス管理知能を用いることによって前記モデムを通じて前記ネットワークへの永続的接続を維持する、ステップと、
ユビキタスインターフェースによって異なる技術を用いた別の運営者への接続の移行を容易にするためにネットワークサーバと通信するステップと、
前記カスタマーファイルおよび前記サーバデータベース内に包含されたバーチカルなアプリケーションの前記テーブル内に包含された前記情報に従って前記デバイス内へのアプリケーション命令のロードに関する命令を提供するためにネットワークサーバと通信するステップと、
前記ネットワークサーバからの命令を受けて前記SIMを前記ネットワークから切断するステップと
のうちの1つまたは複数を実行するようにプログラムされている、請求項14に記載の移動局。
【請求項２８】
処理手段と、通信ネットワークおよび通信デバイスに関する情報を保存するための手段とを備えた、前記通信ネットワークで使用されるサーバであって、前記処理手段は、
データおよび通信パラメータを制御するステップと、
複数の技術手段を用いた複数のネットワーク運営者への接続を識別し、分離しかつ管理するステップと、
デバイス内に包含された制御ユニットと通信することによって、別々の製造の多くのデバイスを識別し、分離しかつ管理するステップと、
を行うように構成されており、前記処理手段は、前記ネットワークおよび少なくとも1つの基地局に関する情報へのアクセスを提供し、前記デバイスの活動の側面を管理する能力を提供するようにさらに構成されており、かつデバイスに対する前記管理は前記デバイス内の前記制御ユニットとの通信によって実施され、前記デバイスの管理へのアクセスは公共インターネットによるか他の手段によって前記ネットワークにリンクされた管理ユニットによってユーザに提供されていることを特徴とするサーバ。
【請求項２９】
前記サーバは追加の接続に対するゲートウェイとして構成された前記通信ネットワークの一部である、請求項28に記載のサーバ。
【請求項３０】
情報を保存するための手段を備えた通信デバイスで使用される構成であって、
前記デバイス向けの一意の識別情報を保存するための手段と、前記デバイス内のプログラム可能なエージェントを介してネットワークサーバから命令および情報を受け取るための手段と、を備え、
サービスプロバイダAPNアドレスによって判別され、
ホームサービスプロバイダAPNアドレスによりプロフィール設定されているそのAPNを通じてサービスプロバイダネットワークに対する前記構成の接続および/または切断を行うように通信ネットワークによって指示され、
前記構成でプロフィール設定された指定のサービスプロバイダAPNから何らかの理由で切断すること、または
前記構成においてネットワークサーバおよびエージェントによって指定された新たなサービスプロバイダAPNに接続すること
を行うように前記ネットワークによって指示される
ように構成されることを特徴とする構成。
【請求項３１】
SIMカードまたはチップのうちの一方である、請求項30に記載の構成。
【請求項３２】
SIM接続、デバイス構成およびユーザアプリケーションを管理するための手段を備える、通信デバイスで使用される構成であって、前記構成は、前記デバイスに制御ユニットを組み込み前記SIMおよびモデムに対して永続的に接続されるようにするための手段と、ネットワークサーバから前記制御ユニットへの情報および命令を受け取るとともに前記命令および情報を前記デバイスの前記SIMおよび前記モデムまで中継するための手段と、を備える構成。
【請求項３３】
展開前にホームサービスプロバイダの前記APNアドレスによって事前プログラムされ、
展開前に前記デバイスの一意の識別番号である移動局の前記国際移動体装置識別(IMEI)番号によって事前プログラムされ、
ネットワークサーバと通信するとともに前記サーバに対する命令および情報を受け取りかつ送るようにプログラムされ、
ホーム運営者に対する前記SIMオート接続機能を監視または支援するようにプログラムされ、
バックオフィス機能を介して前記ネットワークサーバおよびユーザとの常時連絡状態を保つようにプログラムされ、
前記サーバと前記デバイスの間に(IP)トンネルを設定するか、またはUDPや他の任意のMNOプロトコルを用いてインターネットを経由してオープンセッションを構成するようにプログラムされ、
前記サーバから受け取った命令および情報を変換するとともにこれを適当な言語で前記SIMおよび前記モデムまで中継するようにプログラムされ、
サーバデータベース内に包含された規則から前記デバイスの前記構成に関する命令を提供するようにプログラムされ、
任意の運営者のネットワークからモバイルネットワークによって指定された別のサービスプロバイダへの前記SIMの接続の移行に関して命令を提供しこれを支援するようにプログラムされ、
前記デバイス内へのユーザアプリケーション命令のロードに関する命令を提供するようにプログラムされ、
前記デバイスからデータおよび情報を収集し、これを前記ネットワークサーバまで中継するようにプログラムされ、
ある種の状況において前記SIMを指定のサービスプロバイダAPNから切断するようにプログラムされる、
制御ユニットをさらに備える請求項32に記載の構成。
【請求項３４】
SIMカードまたはチップのうちの一方である請求項32に記載の構成。
【請求項３５】
SIM接続、デバイス構成およびユーザアプリケーションを管理するためにエンドユーザへのアクセスを提供するための手段を備えた、通信ネットワークで使用される構成であって、前記通信ネットワークおよび少なくとも1つの基地局に関する情報へのアクセスを提供し、公共通信ネットワークによって前記ネットワークにリンクさせたインターフェースを通じて移動局の活動のすべての特性を管理する能力を前記ユーザに提供するための手段を備える構成。
【請求項３６】
通信ネットワークが前記ネットワークおよびその上に展開されたすべてのデバイスに関するすべての側面に対する全体的な視認性を有する管理エンティティにリンクされるように構成されている請求項34に記載の構成。
【請求項３７】
前記ネットワーク、基地局およびすべての移動局に関する情報へのアクセスを提供するために前記管理エンティティを制御し、それとインターフェースするように構成されたサーバと通信している請求項36に記載の構成。
【請求項３８】
前記管理エンティティが、直接前記サーバ、モバイルネットワークサイトにあるウェブサイト、制御ユニット、またはワイヤレスゲートウェイによって前記モバイルネットワークサイトに接続されている、請求項36に記載の構成。
【請求項３９】
すべてのモバイルデバイスの状態に関してサードパーティユーザに、それを通って流れる情報、課金、統計、および機能が提供を求められるその他の利用可能な情報を提供するように構成されたバックオフィス管理機能を前記管理エンティティが備えるようにして構成される、請求項36に記載の構成。
【請求項４０】
前記サーバおよびエージェントを介した前記SIMおよび前記デバイスに対する直接制御をサードパーティユーザに提供しているインターフェースを備えており、且つしたがってネットワークによって取り扱われる前記SIM、デバイスおよびデータのすべてを完全に制御下にある、請求項34に記載の構成。
【請求項４１】
SIMカードまたはチップのうちの一方である請求項34から39のいずれか一項に記載の構成。
【請求項４２】
モバイル通信ネットワークにパッケージ交換通信能力を提供するための方法であって、
1つまたは複数の移動局を構成するステップと、
1つまたは複数のサービスプロバイダを通じて前記移動局との通信を提供するステップと、
ユーザに対して前記移動局との通信を可能にするステップと、
前記移動局内のプログラム可能なエージェントまたは制御ユニットと通信しているサーバからの構成、接続およびアプリケーション情報および命令を前記移動局にリモートで提供するように前記モバイル通信ネットワークを構成するステップと、
を含む方法。
【発明の詳細な説明】
【技術分野】
【０００１】
本発明は、通信ネットワーク、特に、モバイル通信システムに関し、詳細には、1つまたは複数のサードパーティユーザに属する、1つまたは複数の国にある1つまたは複数のサービスプロバイダによって運営されているネットワークを経由して1つまたは複数のモバイルデバイスの間で移動するデータの双方向伝送およびリアルタイム管理のためのGPRS、2G、3G、4GまたはEDGEなどのパッケージ交換ネットワーク、または他のセルラー式もしくは衛星通信ネットワークに関する。この技術は、機械対機械通信(Machine to Machine Communication)またはM2Mとして知られている。
【背景技術】
【０００２】
モバイル用のネットワークおよびサービスのユーザ数は急速に増えつつあり、またユーザは、しばしばグローバルベースで、ますます高度になるアプリケーションやソリューションを求めている。グローバルなM2Mワイヤレスアプリケーションの開発によって、様々な産業で広範なソリューションを提供するリモート管理下にあるデバイスの数が急速に拡大する結果となっている。自らの企業WANやLANをすべてのリモートデバイスを含めるように拡張するためにさらに多くのソリューションを開発したいという会社(OEM、配給者またはエンドユーザ)の要望が、市場投入までの時間(Time to Market)と言われる新たな現象となっており、またこうした会社は、リアルタイムエンタープライズと名付けられている。
【０００３】
新たなアプリケーションやソリューションが、広範な産業においてほぼ毎日作成されている。今では、リモートデバイスを介したOEMの企業WANやLANへの接続、あるいはエンドカスタマーまたは製造や配給チェーンに関わる他の認可された事業体のWANやLANへの接続、ならびにこれらのデバイスとの常時双方向アクセスを許可することによって、任意のリモート装置を強化し得ることが一般に受け入れられるようになってきている。これは、企業物流を改善し、機能のリモート監視を可能にし、または装置に対する保証のためのメンテナンスや機能改善のためのアップグレードを行うのに必要なリアルタイムデータを提供することによって、人の介入により生成される二酸化炭素排出量を低減するとともに追加的な低コストの収益源を得るためであることも、製造者、ユーザまたは他の任意の関連事業体のいずれにとっても有益となり得る他の任意の理由によることもある。
【０００４】
このリアルタイムデータ環境においては、デバイスを設置するネットワークを公共インターネットに相互リンクさせ、これによりデータを公共インターネットを経由してIP形式でサーバから再送信させるとともにウェブベースの表示形式でネットワークに関連するOEM、MNO、エンドカスタマーまたは他の認可された事業体に提供することが可能である。企業WANやLANにすべての装置を仮想的に接続するとともにこれらの装置をインターネットを経由して管理するというこの考え方は、「モノのインターネット(The Internet of Things)」と呼ばれている。
【０００５】
この技術によって利用可能となるアプリケーションおよびソリューションは、たとえば、オート接続、構成、切断またはネットワークAPNの別の指定のサービスプロバイダへのシームレス切替えなどの命令がデバイス内のSIMに直接提供されること、あるいは、たとえば、当該デバイスの規則エンジンに従ったユーザプロフィールやプロトコルの作成や修正、またはサービスプロバイダの様々な技術、たとえば2G、3G、4G、Edgeなど、GPSや運動検出のようなアプリケーションに適合するための命令、またはスリープモード、フォールバックモードその他のような他のSIM構成を設定するための命令(これらの命令の一部はSIMに送られることになる)がデバイス内のモジュールまたはデバイス自体に提供されることを必要とし得る。
【０００６】
これらの要件の一部は、「特別の」SIM(たとえば、そのネットワークがモバイルネットワークに相互接続されているサービスプロバイダの幾つかの専用APN識別情報によって事前プロフィール設定（pre-profiled）されたSIM)を使用することによって解決することが可能である。
【０００７】
これらの要件の一部は、展開および起動の前に1組の命令を用いてプログラムされる能力を有する「インテリジェントな」デバイスを使用することによって現在解決することが可能である。インテリジェントなデバイスは、プログラミング機能を有さずかつ基本的な「ネイティブ」AT(NAT)コマンドを実行することに制限されている基本的なまたは「ダムな(dumb)」デバイスと比べて実質的により高費用となる。
【０００８】
ダムなデバイスは、製造者やエンドユーザがデバイスを展開し起動させた後でより高度なソリューションの導入や機能の改良を希望する場合にインテリジェントな状態にアップグレードすることが不可能である。
【０００９】
インテリジェントなデバイスに関する展開および起動後のアップグレードもまたデバイス内に事前にロードされた利用可能な命令のセットに制限されることがあり、また新たな命令は以前に予見されていなければ導入できないことがある。
【００１０】
ダムなデバイスとインテリジェントなデバイスはいずれも展開する前に、デバイスプロフィールおよびアプリケーションやソリューションの実行を構成するように、基本の命令であれ高度な命令であれSIMの管理に要求されるどのようなレベルの命令もロードするために手作業で操作しなければならない。このことは時間がかかりかつ高費用な過程となる。
【００１１】
デバイスの製造者は、各製造者のデバイスの展開によって各ケースにおいて異なる手続きが必要となる前には、標準的な規則、プロトコル、手続き、インターフェースまたはシステムおよび手作業の操作を有さない。
【００１２】
世界中の多くの国にデバイスをグローバルベースに展開するには、接続の側面、デバイスプロフィール構成の側面、サービスプロバイダのネットワーク技術、アプリケーションやソリューションの側面、SIM挙動の側面、監視および報告の側面および起こり得るアップグレードの側面について特定の命令が必要である。
【００１３】
これらの命令は現在、より高費用なインテリジェントなデバイスの使用が要求されるデバイス内に組み込まれること、ならびにこのデバイスを同じく高費用で時間がかかる手作業による介入を必要とするような特定のデバイスタイプの規則、手続き、インターフェースおよびシステムに従って展開前にカスタムで設定することが必要である。
【００１４】
これらのデバイスに対する常時双方向アクセスによって企業物流、定期的監視および管理を改善させるためならびに追加的な収益源の生成のために必要なリアルタイムデータを提供することを可能とし、これにより、こうしたネットワークでデバイスを展開するコストに関して実行可能なROIが得られるような命令が必要とされている。世界中の多くの国にある何千何万というデバイスに対する展開、起動、構成ならびに連続監視および管理には、現在利用可能な方式と比べてさらに独創的な技術方式が必要である。
【００１５】
P17688SEは、ネットワークに接続されたすべてのデバイスに固定のプライベートIPアドレスをシームレスにマッピングしデバイスへのまたはデバイスからの送信を開始することまたは各デバイスが固定のIPアドレスを有するようなデバイス間での送信の開始をデバイスに要求することによって、デバイス内のSIMの接続を高費用なローミングネットワークからローカルのネットワークに移行するという問題に対するソリューションを提供しており、これにより識別は一定に保たれるとともに、ネットワークに対してまた他のすべてのデバイスに対して常に既知となっている。このソリューションによれば、その専用のアクセスポイントノード(APN)を用いることによって多数のサービスプロバイダのネットワークにモバイルネットワークを相互接続させる能力と、デバイスのIPアドレスを一意かつ一定に維持しながらあるセルラーサービスプロバイダから別のセルラーサービスプロバイダへのあるいはセルラーネットワークのグローバルなフットプリントの外部にある衛星や他のモバイルネットワークへのサービスのハンドオーバをシームレスに管理する能力を用いて、サードパーティユーザによるこれらの運営者のネットワークのうちのいずれかまたはすべてに対する個別かつ同時での固定のアクセスポイントからのアクセスを提供するようにこれらの相互接続の各々を個別にかつ同時に管理する能力と、が提供される。
【００１６】
このソリューションでは、ある運営者から別の運営者へのサービスのハンドオーバを必要とすることがあるネットワークに接続されたデバイスに固定のIPアドレスを割り当てることが必要である。
【００１７】
実際にこれでは、ネットワークに接続されたすべてのデバイスについて、これらがグローバルに展開されることになる場合、あるいはネットワーク間でのローミングが起こり得る場合、したがってある運営者から別の運営者へのサービスのハンドオーバが必要であり得る場合に、固定のIPアドレスを割り当てることが必要である。
【００１８】
固定IPアドレスの割り当ておよび管理では、非固定のIPアドレスを用いる場合と比べてより高度なネットワークが必要であり、かつより高費用となる。
【００１９】
セルラーネットワークを経由して移動するM2Mデータのすべてが、プライバシーやセキュリティのレベルに準拠しなければならないような高度に貴重で、機密性でかつビジネスに不可欠な情報である訳ではない。
【００２０】
このソリューションは、このような極めて重要ではないようなデータ使用に関する多くのアプリケーションと比べてこうしたビジネスに不可欠な使用により適している。
【００２１】
このソリューションでは、そのネットワークがモバイルネットワークに相互接続されているサービスプロバイダの幾つかの専用のAPN識別情報を用いて事前プロフィール設定された特別なSIMが必要である。
【００２２】
このソリューションは、固定のIPアドレスに関する割り当ておよび管理、ならびにあるセルラーサービスプロバイダから別のセルラーサービスプロバイダへのまたはセルラーネットワークのグローバルなフットプリントの外部にある衛星や他のモバイルネットワークへのサービスのハンドオーバに制限されており、SIMまたはデバイスに関するその他の要件について対処していない。
【００２３】
このソリューションは、モバイルネットワーク間でのSIM接続の管理に制限されており、デバイスの展開の前または後で必要なSIM設定手続きに関する改善を提供していない。
【００２４】
このソリューションは、ネットワーク機能に応じて、手作業の介入やインテリジェントなデバイスからの命令を必要とすることがあるようなSIM挙動の他の面(たとえば、オート接続や構成、起動停止、スリープモード、フォールバックモード、その他)について対処していない。
【００２５】
このソリューションは、様々なタイプのデバイスの構成ならびにデバイスをその製造に従ってカスタマイズするように目下要求されている手作業の介入の問題に対処していない。
【００２６】
このソリューションは、サービスプロバイダによって使用される異なるネットワーク技術(2G、3G、4G、EDGEその他を含む(だたし、これらに限らない))の問題に対処していない。
【００２７】
このソリューションは、デバイス内にアプリケーション命令を導入するための手続きならびに特定のアプリケーションおよびソリューション向けにこれらをカスタマイズするのに目下要求されている手作業の介入について対処していない。
【００２８】
このソリューションは、展開後におけるデバイスに対するリモート管理機能を何ら提供していない。
【００２９】
このソリューションは、かなりのコストの差が生じるとともにソリューション機能を制限する可能性がある様々なタイプのデバイスの機能レベルの違い(ダムなデバイスかインテリジェントなデバイスか)の問題に対処していない。
【００３０】
このソリューションは、ダムなデバイスのインテリジェントなデバイスへのアップグレードを許容していない。
【００３１】
このソリューションは、展開前も展開後も、デバイスの他の任意の機能に関する手作業の介入を伴わないカスタマイズ、アップグレードまたは管理を提供していない。
【００３２】
このソリューションは、展開後における費用対効果がよく単純で標準的なリモートの手段によるカスタマイズを許容するような標準的な命令や機能にデバイスを準拠させるためにデバイスの包括的なテーブルを作成する方法を提供していない。
【００３３】
このソリューションは、デバイスやSIMに対する既存の手作業またはリモートの操作に対するコスト優位を何ら提供していない。
【発明の概要】
【発明が解決しようとする課題】
【００３４】
必要とされているのは、様々な多くの国のローカルの運営者によって運営されているGSM（登録商標）、GPRS、UMTS、3Gまたは4Gネットワークに接続する能力ならびに専用のパーケージ式のネットワークに対して単一のエントリおよび制御ポイントから接続される多くのタイプのデバイスに関するサービスおよび接続を管理する能力を有する真に双方向性のセキュアでリアルタイムで効率がよくかつマルチスタンダードなモバイル通信ネットワークである。
【００３５】
同様に、命令およびデータを公共インターネットを経由してサーバからIP形式で送信または再送信することが可能であり、かつ相手先商標製造者(OEM)、モバイルネットワーク運営者(MNO)、エンドカスタマーまたはネットワークに関わる他の認可された事業体から(たとえば、ウェブベースの表示形式で)受信することが可能あるいはこれらに提供することが可能となるように、デバイスが置かれるネットワークが公共インターネットに相互リンクされることによって可能にされたこの単一のエントリおよび制御ポイント。
【００３６】
同様に、インターネットによってネットワークにリンクされている、リモート管理による単一のエントリポイントからネットワークによって指示されるように個別または同時のいずれかによりサーバ、SIMおよびデバイスと通信し、認可された事業体からの受け取ったSIMおよびデバイスのネットワーク接続、構成およびアプリケーション命令、ならびにSIMまたはデバイスから実質的に常時双方向アクセスによって受け取ったデータを管理する能力を有する管理プラットフォーム。
【００３７】
同様に、ホーム運営者のネットワークAPNアドレス(展開時にそのAPNアドレスがSIM内にプロフィール設定されている(profiled)元のサービスプロバイダ)のオート接続のSIM登録および起動に関する展開時の基本のNAT命令だけを含むように当初構成されており、かつ展開後にインターネットを経由してまたはモバイルネットワーク運営者(MNO)により使用される任意のプロトコルを介してサーバからIP形式でさらなる構成やアプリケーション命令を受け取ることが可能な、できる限り最低コストによる任意のタイプのSIMおよび移動局またはモバイルデバイス。
【００３８】
同様に、OEM、MNOや他の認可された事業体によって運営されているウェブベースのネットワークを介して単一のエントリおよび制御ポイントからのネットワークアプリケーションサーバによる指示に従った任意の地理的区域内の任意のタイプのネットワーク上でSIM接続およびデバイス構成やアプリケーションに関して必要に応じてSIMおよびデバイスをリモートでプログラムおよび再プログラムするための命令を引き続き受け取ることが可能な移動局またはモバイルデバイス。
【００３９】
同様に、任意の地理的地域内の任意のネットワーク上への展開前にできる限り最低コストでSIM、モデムおよび様々なタイプのデバイスの構成に対する最低レベルの情報による標準化を可能にする能力を有すること。
【００４０】
多くの地理的位置にある多種多様な装置、デバイスおよびカスタマイズ済みソリューションを備えた多くの産業にサービス提供するグローバルなM2Mワイヤレスアプリケーションのかなりの増加、ならびにこの装置やデバイスの管理のために手作業の介入が必要となる場合に生じることになる結果の二酸化炭素排出量増加に鑑みて、こうした発明は貴重であり、革新的であり、かつ必要である。
【課題を解決するための手段】
【００４１】
したがって本発明の第1の態様は、モバイルネットワークをその専用のアクセスポイントノード(APN)を用いることによって多くのサービスプロバイダのネットワークに相互接続させる能力、ならびにこれらの相互接続の各々を個別にかつ同時に管理しこれらの運営者のネットワークのいずれかまたはすべてに対するサードパーティユーザによるある固定のアクセスポイントからの個別かつ同時のアクセスを提供するとともに多くの移動局や様々なタイプのデバイスをモバイルネットワークに接続する能力である。
【００４２】
本発明の第2の態様は、移動局またはモバイルデバイスがその上に展開されたモバイルネットワークを公共インターネットに相互リンクさせており、これによりデバイスに対してネットワークサーバからIP形式で命令を送信することが可能でありかつデータをデバイスから公共インターネットを経由して取り出すとともにOEM、MNOや別の認可された事業体によって実行させることが可能であることである。
【００４３】
本発明の第3の態様は、モバイルネットワークに接続されたあらゆるデバイスが、デバイスおよびSIMの管理に必要な命令を受け取りかつ通信することが可能なプログラム可能な言語を装備した制御ユニット、マイクロプロセッサその他(本明細書では「エージェント」とも呼ぶ)を装備していることである。このエージェントは実際上デバイス管理プラットフォームの役割を果たす。
【００４４】
本発明の第4の態様は、この制御ユニットまたはエージェントを、デバイスのモデム内に組み込まれ得ること、またはデバイスの一体部分となるように同じくSIMおよびモデムに永続的に接続されたデバイスのプリント回路基板などの電子回路キャリアに接続させ得ることである。
【００４５】
本発明の第5の態様は、このエージェントがプログラム可能な言語の形で命令を受け取るとともに、SIM、モデムまたはデバイスに対してそれらの各々が要求する言語の形で命令を伝達することが可能であることである。
【００４６】
本発明の第6の態様は、デバイスの展開の時点ではそのモデムが、SIMオート接続機能の起動およびモバイルネットワークへの接続を有効にし、次いで命令およびデータの送信のためにデバイスとOEM、MNOや他の認可された事業体との間の双方向通信を許容するようにSIM内にプロフィール設定されたホーム運営者の(元のサービスプロバイダの)APNアドレスによるSIMの登録を保証するための基本のNAT命令のみを包含し得ることである。
【００４７】
本発明の第7の態様は、デバイスの展開の時点ではそのエージェントが、ホーム運営者によるSIMの登録を保証し、次いでSIMオート接続機能およびモバイルネットワークへの接続を起動し、次いで命令およびデータの送信のためにデバイスとOEM、MNOや他の認可された事業体との間の双方向通信を許容するための同じ基本のNAT命令のみを包含し得ることである。
【００４８】
本発明の第8の態様は、何らかの理由でSIMが登録したときにホーム運営者によってオート接続が実施されていない場合に、エージェントはモデムを介して運営者に伝達することが可能なその中に包含された基本のNAT命令によってオート接続を支援することが可能であることである。
【００４９】
本発明の第9の態様は、SIMやデバイスやデバイス内のモデムはそのいずれもが、本発明による場合と比べてよりインテリジェントで高費用のデバイスやSIMを要求することになるようなより高度な構成命令、アプリケーションまたは接続機能を事前ロードされている必要がないことである。
【００５０】
本発明の第10の態様は、そのエージェントが任意のサードパーティユーザとデバイス内のモデムの間に設定される(IP)トンネルを介してあるいはUDPまたは他の任意のMNOプロトコルを用いたオープンセッションを介してサーバとでデータおよび命令の受け取りまたは送りを行うとともに、SIM、デバイスまたはデバイス内のモデムに引き継がれる命令を変換するようにプログラムされ得ることである。
【００５１】
本発明の第11の態様によれば、そのエージェントがC++、Java（登録商標）またはその目的に適合した他の任意のプログラミング言語でプログラムされることがある。
【００５２】
本発明の第12の態様によれば、管理プラットフォームが、サーバ、ファイアウォールおよびルータにこれを接続しているネットワークに対して接続されており、これによりエージェントとIP形式さもなければモデムを介して通信するとともにOEM、MNOや他の認可された事業体によってウェブベースのインターフェースを通じてエージェントの機能の管理を有効化することが可能となる。
【００５３】
本発明の第13の態様によれば、
a.カスタマー情報およびすべてのSIMおよびデバイスの構成および接続およびデバイスによって実行しようとするアプリケーションの実装と、
b.そのモバイルネットワークに接続された様々な運営者ネットワークに適用可能なアクセスポイントノード(APN)のテーブルと、
c.多くの製造者の多種多様なデバイスに関する構成規則のテーブルと、
d.そのモバイルネットワークに接続された様々な運営者ネットワークによって使用される技術のいずれかに対する任意のデバイスの構成を容易にするためのユビキタスインターフェースと、
e.多種多様なバーチカルな(vertical)産業使用を満たすために多種多様なデバイスに対してソリューションを提供するように利用可能なアプリケーション命令のテーブルと、
に関するデータベース、命令および情報からアクセスが可能なモバイルネットワークにアプリケーションサーバが接続されている。
【００５４】
本発明の第14の態様によれば、そのエージェントはデバイスの中に植え込まれたデバイスの識別情報を識別することが可能であり、かつSIMの登録および起動の直後にエージェントは、デバイスの構成に関してかつサービスプロバイダの技術の同化に関してどの規則のセットを参照すべきかが分かっているサーバに通知することが可能である。
【００５５】
本発明の第15の態様によれば、そのサーバはどのデバイスがそのカスタマーに属するものかおよびどの接続、構成およびアプリケーションが当該カスタマーのデバイスに適用可能であるかを特定するために利用可能なデータベース内のカスタマー情報を参照することがある。
【００５６】
本発明の第16の態様によれば、そのエージェントは次いで追加の命令、新たな命令または修正された命令をサーバからのリモートによりIP形式で公共インターネットを経由して受け取ることが可能であり、場合によっては、管理プラットフォームを介してOEM、MNOや他の認可された事業体によってウェブベースのアクセスポイントから、場合によっては、当該デバイスに適用可能な接続およびアプリケーション命令をサーバから構成かつロードするとともにこれらをモデムにまたはSIMに伝達するように指示される可能性がある。
【００５７】
本発明の第17の態様によれば、接続、構成およびアプリケーション命令は、エージェントによりシグナリングされたデバイスの識別情報に従ってサーバ内に包含されたAPN、デバイスおよび技術規則、カスタマーおよびアプリケーション命令に関するテーブルからの導出に応じてそのデバイスのタイプ、位置および目的に対して特異的とすることになる。
【００５８】
本発明の第18の態様によれば、エージェントにより受け取られる命令は、モデムを介して受け取られ、変換され、かつそのデバイス構成に応じてモデムを介してまたは電子回路キャリア(たとえば、プリント回路基板)を通じてデバイスまたはSIMに対して直接与えられることになる。
【００５９】
本発明の第19の態様によれば、SIM接続に関してエージェントは、
a.サーバ内のテーブル内で利用可能なカスタマー情報および専用のアクセスポイントノード(APN)を用いることによってモバイルネットワークに接続されたサービスプロバイダのネットワークのうちの1つに対するデバイスの相互接続を管理すること、
b.1つの固定のアクセスポイントから運営者のネットワークのいずれかまたはすべてを個別にかつ同時に選択することを可能にするようにこれらの相互接続の各々を個別にかつ同時に管理すること、
c.ホーム運営者に対してデバイス管理プラットフォームの役割をするエージェントに対する受け渡しを構成することを許容し、これによりオート接続機能によるその呼び出しの保持および無線での新たな運営者へのデバイスの再構成を可能にすることによって、ある運営者から別の運営者へのSIMおよびデバイスのシームレスなハンドオーバを管理すること、
d.異なる技術に対応するようなデバイスの再構成(たとえば、2Gから3Gへまたは4Gその他への移行)を管理すること、
を行うことが可能である。
【００６０】
本発明の第20の態様によれば、デバイスから受け取ったデータは公共インターネットまたさもなければ管理プラットフォームを介してIP形式でサーバから再送信されるとともにOEM、MNO、最終カスタマーや他の認可された事業体にウェブベースやその他のタイプの表示形式で提供される可能性がある。
【００６１】
本発明の第21の態様によればそのデータは、管理プラットフォームによってバックオフィス機能の形式で組織化されるとともに、
a.管理プラットフォームによって提供される報告がモバイルネットワークで利用可能な任意のデータ(その例には、SIM活動、データ解析および統計、位置報告、課金詳細、その他がある)を包含することがあること、
b.このデータへのアクセスはカスタマーによって確定された優先度に従った制限を受けることがあること、
c.カスタマー情報ファイル内に包含される情報と比較した1つのデバイスまたはSIMあたりの超過データ使用の警告、
を含むような追加の任意選択のサービスを付加した状態で所望の形式で任意の認可された事業体に提供されることがある。
【００６２】
本発明の第22の態様によれば、デバイスが1つのカスタマーファイルあたりの限度に従ったデータ使用を超過した場合に、サーバはエージェントに対して超過コストが課されるのを防止するためにSIMをネットワークから切断するように指示することが可能である。このタイプの超過使用は不足状態にある可能性やハッキングやSPAMの犠牲になった可能性がある「ローグな(rogue)SIM」によって生じる。
【００６３】
本発明の第23の態様によれば、任意のサードパーティユーザ、SIMカードがインストールされた任意のデバイスおよびサーバに接続されたエージェントや任意のサービスの間に双方向インターネットプロトコル(IP)トンネルの設定を可能にするようにネットワークが提供される。デバイスとサーバの間で移動するデータはサーバ内で暗号化しかつ圧縮することが可能であり、またデバイスはOEM、MNO、最終カスタマーや他の認可された事業体によって公共インターネットを経由し管理プラットフォームを介して直接制御されかつ管理されるとともにウェブベースの表示形式でまたは別の形式で送達されることが可能であり、これによりユーザに対してすべてのデバイスへの直接アクセスが提供されることによって、展開および構成の簡素化、デバイス動作の管理の向上、送信速度の上昇、送信コストの低減ならびに送信セキュリティの向上が提供される。
【００６４】
さらに本発明によれば:
展開の時点で基本のNATレベルの命令のみによる標準的なSIM、モデムおよびデバイスを使用する能力、
モデムに対してホーム運営者のネットワーク上でSIMを登録するためにどこを呼び出すべきかを知るように指示し、運営者に対してデバイス管理プラットフォームの役割をするエージェントへの受け渡しの構成を許容し、オート接続機能がその呼び出しを保持して無線でデバイスを構成することを可能とさせる能力、
SIMのホーム運営者のネットワークへのオート接続を支援する能力、
ホーム運営者ネットワークに対するオート接続の直後にネットワークにデバイスの識別情報について伝送する能力、
構成、接続およびユーザアプリケーションに関してSIMおよびデバイスによって要求されるすべての情報および命令をSIMやデバイス内ではなくネットワークサーバ内に保存する能力、
インターネットを経由してまたは展開後にモバイルネットワーク運営者(MNO)によって使用される任意のプロトコルを介してIP形式でサーバからデバイスに情報および命令を送信する能力、
モバイルネットワークサーバのデータベース内に包含された複数の専用のAPNアドレスを用いて運営者ネットワークからグローバルな選択肢を選択する能力、
中央の製造元または出荷元から、使用国のローカルなネットワークに接続するように事前試験されかつ事前装備されたデバイスを出荷しかつ展開する能力、
デバイスをホーム運営者のネットワーク上で事前試験するとともに、これらを「スリープモード」で出荷しかつ展開し、ユーザが起動させたときに新たな運営者に対して接続されるようにリモートでウェイクアップさせ、オート接続させかつ再構成させるようにする能力、
ネットワークサーバのデータベース内に包含されるとともにエージェントに供給されるサービスプロバイダに対応して任意の数のAPNプロフィールを適用する能力、
ネットワークがデバイスの識別情報を認識するとともに、この識別情報をサーバテーブル内に包含された要求された運営者のネットワークのAPNプロフィールとマッチングさせる能力、
ネットワークによって、エージェントおよびデバイスから受け取ったデバイスの識別情報ならびにサーバのデータベース内に保存されたカスタマー情報に従ってエージェントに対して指定のAPNを選択するように指示する能力、
異なる技術、2G、3G、その他の間での移行を容易にすることを含む、ある運営者のネットワークから別の運営者のネットワークへの接続のシームレスな移行を管理するエージェントの能力、
高費用となる超過データ使用となる場合に運営者のネットワークからSIM接続を切断するエージェントの能力、
ネットワークによって、デバイスの識別情報を認識するとともに、展開およびオート接続後にネットワークサーバから無線でユーザアプリケーションに関してエージェントを介したデバイスへの命令を提供する能力、
ネットワークサーバによって、デバイスの構成のカスタマイズを容易にするためにデータベース内に多種多様な異なる製造者のデバイスをカバーする構成およびアプリケーションに関する包括的規則を保存する能力、
ダムでより廉価なデバイスに対して、目下のところより高費用なインテリジェントなデバイスでのみ利用可能な知能機能を提供する能力、
無認可のアクセスを防止するとともに認証およびセキュリティを保証するためにセキュアな囲い込みを備えたネットワークによるおよびネットワーク内部のユーザによるデバイス群の分別および管理の能力、
ネットワークサーバによる、様々な産業要件に関連するアプリケーションのテーブルをデータベース内に包含する能力、
ネットワークサーバによる、指定のデバイスに供給させるようにユーザ要件に関する指定のカスタマイズ済みアプリケーションをデータベース内に包含する能力、
モバイルネットワークに接続されたウェブベースやその他のタイプの管理プラットフォームを通じて単一のエントリおよび制御ポイントからのネットワークによって指示されるように上述の特徴のすべてに関するSIMの管理およびデバイス管理を担う能力、
管理プラットフォームを使用して、ネットワーク内のすべての利用可能なデータからのウェブベースまたはその他の報告や統計を任意の認可された個人に提供すること、
モバイルデバイスとの通信のためにネットワークソリューションを必要としない固定のラインからモバイルデバイスまでのユーザのネットワーク認識の延長、
ネットワークの単一のエントリ点およびグローバル使用のための単一の技術標準、
GPRS、EDGE、UMTS、2G、3G、4Gその他を含むすべての既存の標準および将来的標準に関する適応性、
環境および二酸化炭素排出量に対する結果的な費用対効果および影響を伴う物理的な人員の派遣を行わずにリモート装置に対するメンテナンスやアップグレードを監視し、管理しかつ提供する能力、
他のセルラーネットワークや非セルラーネットワークへのハンドオーバにおいてデバイスに対する連絡を維持する能力、
送信を高速化しかつセキュリティを向上させるためにデータを圧縮しかつ暗号化する能力、
OEM、配給者またはユーザによって、デバイスのすべての接続およびアプリケーション特性を管理するとともに多くの装置に対するグローバルで費用対効果のよい展開を達成する能力、
OEMまたは配給者によって、ユーザに追加のサービスを提供し、これにより多くのデバイスのグローバルな展開に関するROIを向上させる能力、
が提供される。
【００６５】
これらの理由のために、通信ネットワークで使用されるモバイル通信ネットワークノードを提供する。ノードはパッケージ交換通信能力を備えており、この通信ネットワークは、1つまたは複数のネットワークを通じた通信ネットワークとの通信を提供する1つまたは複数のサービスプロバイダと、ネットワークのいずれかに接続可能な1つまたは複数の移動局またはモバイルデバイスと、を備えており、このモバイル通信ネットワークノードはその移動局内にプログラム可能な制御ユニットを備えたエージェントと通信して移動局の構成および管理のための命令を提供するように構成された命令を移動局に提供するように構成された手段を備えることを特徴とする。
【００６６】
一実施形態では本ノード内の手段は、データベース内に、モバイル通信ネットワークに接続された運営者ネットワークのアクセスポイント名(APN)アドレスのテーブル、運営者ネットワークによって使用される技術に従ったデバイスの構成を容易にするためのユビキタスインターフェース、様々な製造者からの移動局内の様々なタイプのモデムに関する構成規則のテーブル、多くのバーチカルな産業アプリケーションに関する命令のテーブル、ネットワーク上に展開されたすべてのカスタマーデバイスに関する一意の識別番号を包含したカスタマーファイル、のうちの1つまたは複数を包含したサーバである。この一意の識別情報は移動局の国際移動体装置識別(IMEI)番号であることが好ましい。このサーバは、各移動局においてSIM内にプロフィール設定されたホームサービス運営者のネットワークのAPNアドレス、ネットワーク技術を含め展開に関するその地理的および/または追加的な側面に従ったすべての移動局のSIM接続のための指定のAPNアドレス、製造者のおよびユーザの要件に従ったすべての移動局の構成、ユーザ要件に従ったすべての移動局に関するアプリケーション命令、のうちの1つまたは複数に関する情報をさらに包含することがある。このサーバは、サーバとデバイスの間に設定されるIPトンネルによってモデムを介して、あるいはインターネットを経由したユーザデータグラムプロトコル(UDP)またはモバイルネットワーク運営者(MNO)プロトコルを用いたオープンセッションを介してエージェントと通信するように構成されている。このサーバは、ホーム運営者のネットワークに対するデバイス内のSIMの登録およびオート接続をリモートで監視するステップ、障害発生時にホーム運営者のネットワークに対するデバイス内のSIMの登録およびオート接続を支援するステップ、サーバデータベース内に包含された規則からかつ運営者ネットワークによって使用される技術に従ってデバイスの構成に関する命令を提供するステップ、カスタマーファイルおよびAPNアドレスのテーブル内に包含された情報に従ってホーム運営者のネットワークから別の指定のネットワークへのデバイス内のSIMの接続の移行に関する命令を提供するステップ、カスタマーファイルおよびバーチカルなアプリケーションのテーブル内に包含された情報に従ってデバイス内へのアプリケーション命令のロードに関する命令を提供するステップ、のうちの1つまたは複数を実行するためにエージェントと通信することを可能とし得る。この移動局はSIMカードを備えることが好ましく、このSIMカードは:SIMカードが、元のサービスプロバイダネットワークを通じて提供されるホーム運営者のAPNアドレスであるネットワークAPNアドレスを用いてプロフィール設定されるという特徴と;SIMカードが、別個のものであることも、移動局やモデムの本体上にインプリントされるか本体内に直接埋め込まれることもあるという特徴と;SIMカードが、ホーム運営者のネットワークに対するオート接続を許容するようにモデムを介してそのネットワークに登録されることがあるという特徴と;SIMカードが、移動局内の制御ユニットに永続的に接続されるとともに制御ユニットと常時通信状態にあるという特徴と;SIMカードが、オート接続に対する障害発生時に制御ユニットによってホーム���営者のネットワークに対して接続するように支援されるという特徴と;を有する。
【００６７】
このSIMカードの接続は、カスタマーファイルおよびAPNテーブル内に包含された情報に従って、制御ユニットを介してネットワークのサーバによって指示されたとき、ホーム運営者のネットワークから、モバイル通信ネットワークに接続された指定のネットワークへと引き続いて移行されている。ホーム運営者のネットワークへのSIMの接続後に、制御ユニットによって移動局に対する常時アクセスおよびこの逆のアクセスを維持しており、それによりデバイス管理プラットフォームの役割をしている。このSIMは、データ使用がカスタマーファイル内の事前承諾済みの限界を超えた場合にサーバから制御ユニットへの命令によってネットワークから切断される。このネットワークは制御ユニット、モデムおよびSIMを備えた移動局を、ネットワークには移動局が固定ライン接続であるように見えるやり方で通信する相手となり得るシステムとして認識することがある。この移動局は、ネットワークには固定ライン接続に見えるように構成され、これによりワイヤレスデバイスとの通信を提供するためにネットワークの構成を変更することを回避している。本ノードは、サードパーティユーザに対して公共インターネットを経由したアクセス構成によってまたはその他の接続手段によってそのデバイスに対する管理への介入を可能にするための手段をさらに備えることがある。
【００６８】
本発明はまた、通信ネットワークで使用するため移動局に関する。本移動局は、ネットワークと通信するためのパッケージ交換通信のための手段を備えており、この移動局は:少なくとも1つの一意の識別情報構成と;少なくとも1つのGPRSモデムデバイスと;少なくとも1つのSIMと;少なくとも1つの制御ユニットまたはエージェントと;を備えている。本移動局は、ネットワークサーバから制御ユニットを介して情報および命令を受け取るための手段をさらに備えるとともに、本移動局はホームサービスプロバイダネットワークに自動的に接続するように構成されたSIM内に指定されたホーム運営者のAPNアドレスを呼び出すように構成され、かつセキュアな識別を保証するためにモバイルネットワークサーバにその一意の識別番号を付けるように通知する。この一意の識別情報構成は本移動局の国際移動体装置識別(IMEI)番号であり、本移動局を識別するために使用されている。このSIMカードは:SIMカードが、副次的な識別手段の役割をするホームサービスプロバイダネットワークのAPNアドレスを用いてプロフィール設定されているという特徴と;SIMカードが、別個のものであり、保持用スロット内に挿入されるか、移動局やモデムの本体上にインプリントされるか本体内に直接埋め込まれるという特徴と;を有する。このAPNアドレスは、制御ユニット内およびネットワークサーバデータベースのカスタマーファイル内に包含されている。このデバイス内のモデムは、SIMの登録およびオート接続を許容するためだけにホーム運営者に連絡するようにプログラムされている。本移動局は、ネットワークによって、SIMカードまたはチップをサービスプロバイダネットワークに対してそのAPNアドレスを通して接続および/または切断するように指示されるように構成されることがある。APNアドレスのすべては、ネットワークサーバのデータベース内にあるテーブルに包含されている。本移動局内のモデムには、SIM内にプロフィール設定されたホーム運営者のAPNアドレスのみが提供されている。このSIMカードまたはチップは、展開の間にデバイスの内部に設けられ、最終ユーザによってオンに切替えられるときにリモートで再起動されかつホームサービスプロバイダネットワークにオート接続されることがある。本移動局は、エージェントを介してネットワークとまたバックオフィス機能を介してユーザと常時連絡状態に保たれるようにリモートで起動されることがある。このSIMカードまたはチップの接続は、モバイルネットワークに接続された他の任意のサービスプロバイダに移行されるように構成されており、SIMカードまたはチップはネットワークによって、エージェントを介してSIMカードまたはチップにプロフィール設定されたホームサービスプロバイダのAPNから切断するように指示されるように構成されており、SIMカードまたはチップはネットワークによって、エージェントを介してサーバデータベース内に包含された指定のサービスプロバイダAPNアドレスに接続するように指示されるように構成されている。この制御ユニットは、ホームサービスプロバイダのAPNアドレスを伴うように展開の前に事前プログラムされることがある。この制御ユニットは、デバイスに関する一意の識別番号である移動局の国際移動体装置識別(IMEI)番号を伴うように展開の前���事前プログラムされている。この制御ユニットは:サーバから受け取るに従って情報をSIMおよび/またはモデムに中継するステップ;サーバとデバイスの間に(IP)トンネルを設定するか、UDPまたは他の任意のMNOプロトコルを用いてインターネットを経由してオープンセッションを構成するステップ;ホーム運営者のネットワークに対するデバイス内のSIMの登録およびオート接続を監視するためにネットワークサーバと通信するステップ;障害発生時にホーム運営者のネットワークに対するデバイス内のSIMの登録およびオート接続を支援するステップ;サーバデータベース内に包含された規則からデバイスの構成に関する命令を提供するためにネットワークサーバと通信するステップ;カスタマーファイルおよびサーバデータベース内に包含されたAPNアドレスのテーブル内に包含された情報に従ってデバイス内のSIMの接続のホーム運営者のネットワークから別の指定のネットワークへの移行に関する命令を提供するためにネットワークサーバと通信するステップ;SIMに指定のAPNを検索するように指示するステップであって、SIMが登録されると運営者はオート接続機能に呼び出しを保持させるためにエージェントへのハンドオフを構成し、デバイスを新たな運営者のAPNに接続するように無線で再構成し、エージェントは次いでモバイルネットワークに対してその新たな接続状態を確認し、移動局はエージェントのデバイス管理知能を用いることによってモデムを通じてネットワークへの永続的接続を維持する、ステップ;ユビキタスインターフェースによって異なる技術を用いた別の運営者への接続の移行を容易にするためにネットワークサーバと通信するステップ;カスタマーファイルおよびサーバデータベース内に包含されたバーチカルなアプリケーションのテーブル内に包含された情報に従ってデバイス内へのアプリケーション命令のロードに関する命令を提供するためにネットワークサーバと通信するステップ;ネットワークサーバからの命令を受けてSIMをネットワークから切断するステップ;のうちの1つまたは複数を実行するようにプログラムされることがある。
【００６９】
本発明はまた、通信ネットワークで使用されるサーバに関する。本サーバは処理手段と通信ネットワークおよび通信デバイスに関する情報を保存するための手段とを備えており、この処理手段はデータおよび通信パラメータを制御するステップと、複数の技術手段を用いた複数のネットワーク運営者への接続を識別し、分離しかつ管理するステップと、デバイス内に包含された制御ユニットと通信することによって別々の製造の多くのデバイスを識別し、分離しかつ管理するステップと、を行うように構成されている。この処理手段は、ネットワークおよび少なくとも1つの基地局に関する情報へのアクセスを提供し、デバイスの活動の面を管理する能力を提供するようにさらに構成されており、かつデバイスに対する管理はデバイス内の制御ユニットとの通信によって実施され、デバイス管理へのアクセスは公共インターネットによるか他の手段によってネットワークにリンクされた管理ユニットによってユーザに提供されている。本サーバは、追加の接続に対するゲートウェイとして構成された通信ネットワークの一部である。
【００７０】
本発明はまた、情報を保存するための手段を備えた通信デバイスで使用される構成であって、デバイス向けの一意の識別情報を保存するための手段と、デバイス内のプログラム可能なエージェントを介してネットワークサーバから命令および情報を受け取るための手段と、を備えた構成に関する。本構成は、サービスプロバイダAPNアドレスによって判別されるように構成されるという特徴と;ホームサービスプロバイダAPNアドレスによりプロフィール設定されているそのAPNを通じてサービスプロバイダネットワークに対する構成の接続および/または切断を行うように通信ネットワークによる指示されるように構成されるという特徴と;この構成でプロフィール設定された指定のサービスプロバイダAPNから何らかの理由で切断するという特徴と;構成においてネットワークサーバおよびエージェントによって指定された新たなサービスプロバイダAPNに接続することを行うようにネットワークによって指示されるように構成されるという特徴と;を有するように構成されている。本構成は、SIMカードまたはチップのうちの一方とすることができる。
【００７１】
本発明はまた、SIM接続、デバイス構成およびユーザアプリケーションを管理するための手段を備えた通信デバイスで使用される構成に関する。本構成は、デバイスに制御ユニットを組み込みSIMおよびモデムに対して永続的に接続されるようにするための手段と、ネットワークサーバから制御ユニットへの情報および命令を受け取るとともに命令および情報をデバイスのSIMおよびモデムまで中継するための手段と、を備える。本構成は、展開前にホームサービスプロバイダのAPNアドレスによって事前プログラムされること;デバイスの一意の識別番号である移動局の国際移動体装置識別(IMEI)番号による展開前に事前プログラムされること;ネットワークサーバと通信するとともにサーバに対する命令および情報を受け取りかつ送るようにプログラムされること;ホーム運営者に対するSIMオート接続機能を監視または支援するようにプログラムされること;バックオフィス機能を介してネットワークサーバおよびユーザとの常時連絡状態を保つようにプログラムされること;サーバとデバイスの間に(IP)トンネルを設定するか、またはUDPや他の任意のMNOプロトコルを用いてインターネットを経由してオープンセッションを構成するようにプログラムされること;サーバから受け取った命令および情報を変換するとともにこれを適当な言語でSIMおよびモデムまで中継するようにプログラムされること;サーバデータベース内に包含された規則からデバイスの構成に関する命令を提供するようにプログラムされること;任意の運営者のネットワークからモバイルネットワークによって指定された別のサービスプロバイダへのSIMの接続の移行に関して命令を提供しこれを支援するようにプログラムされること;デバイス内へのユーザアプリケーション命令のロードに関する命令を提供するようにプログラムされること;デバイスからデータおよび情報を収集し、これをネットワークサーバまで中継するようにプログラムされること;ある種の状況においてSIMを指定のサービスプロバイダAPNから切断するようにプログラムされること;を行うようにされた制御ユニットをさらに備えることがある。本構成は、SIMカードまたはチップのうちの一方とすることができる。
【００７２】
本発明はまた、SIM接続、デバイス構成およびユーザアプリケーションを管理するためにエンドユーザへのアクセスを提供するための手段を備えた通信ネットワークで使用される構成であって、通信ネットワークおよび少なくとも1つの基地局に関する情報へのアクセスを提供するとともに公共通信ネットワークによってネットワークにリンクさせたインターフェースを通じて移動局の活動のすべての特性を管理する能力をユーザに提供するための手段を備えた構成に関する。本構成は、通信ネットワークがネットワークおよびその上に展開されたすべてのデバイスに関するすべての面に対する全体的な視認性を有する管理エンティティにリンクされるように構成されることがある。本構成は、ネットワーク、基地局およびすべての移動局に関する情報へのアクセスを提供するために管理エンティティを制御し、それとインターフェースするように構成されたサーバと通信するように構成されることがある。この管理エンティティは、直接サーバ、モバイルネットワークサイトにあるウェブサイト、制御ユニット、またはワイヤレスゲートウェイによってモバイルネットワークサイトに接続されている。本構成は、すべてのモバイルデバイスの状態に関してサードパーティユーザに、それを通って流れる情報、課金、統計、および機能が提供を求められるその他の利用可能な情報を提供するように構成されるバックオフィス管理機能を管理エンティティが備えるようにして構成され得る。本構成は、サーバおよびエージェントを介したSIMおよびデバイスに対する直接制御をサードパーティユーザに提供しているインターフェースを備えることがあり、またしたがってネットワークによって取り扱われるSIM、デバイスおよびデータのすべてを完全に制御下にある。本構成は、SIMカードまたはチップのうちの一方とすることができる。
【００７３】
本発明はまた、モバイル通信ネットワークにパッケージ交換通信能力を提供するための方法であって、1つまたは複数の移動局を構成するステップと、1つまたは複数のサービスプロバイダを通じて移動局との通信を提供するステップと、ユーザに対して移動局との通信を可能にするステップと、移動局内のプログラム可能なエージェントまたは制御ユニットと通信しているサーバからの構成、接続およびアプリケーション情報および命令を移動局にリモートで提供するようにモバイル通信ネットワークを構成するステップと、を含む方法に関する。
【００７４】
以下では本発明について、添付の図面を参照しながら非限定の例によりさらに説明することにする。
【図面の簡単な説明】
【００７５】
【図１】本発明によるモバイル通信ネットワークを示した概要図である。
【図２】本発明による標準SIM、標準モデムおよびエージェントを装備した移動局を示した概要図である。
【図３】本発明の全体ブロック図である。
【図４】SIMおよびモデムに接続されたエージェントに対する情報や命令の提供/こうしたエージェントからの情報や命令の受け取りのためのネットワークサーバとデバイスの間の接続の図である。
【発明を実施するための形態】
【００７６】
手短に言えば本発明は、デバイスに対する構成およびアプリケーション命令の提供に関するようにモバイルデバイスをリモートで指示しかつ管理するため、またさらにはモバイルデバイスへのサービスプロバイダの接続をシームレスに管理しこれらを指定のサービスプロバイダに「結び付ける(attach)」ために通信ネットワーク内部のインターネット機能を利用する能力に関する。これらの命令は、ネットワークサーバのデータベース内に包含されているとともに、デバイス内に組み込まれたエージェント(たとえば、制御ユニット、マイクロプロセッサ、その他)によってデバイス内のモデムを介して取り出され、これに連絡されかつ実装されている。一実施形態によるシステムは、
任意のモバイル運営者によって提供することが可能な1つまたは複数の(標準の)汎用パケット無線サービス(GPRS)ネットワークと、
衛星ネットワークとすることが可能であり、また任意の非GPRSや衛星ネットワーク運営者によって提供することが可能な1つまたは複数の非GPRSネットワークと、
1つまたは複数の(標準の)GPRSモデムエンジンと、
任意の製造者によって提供することが可能であるまたはモデムエンジン内に埋め込まれることがある1つまたは複数の(標準の)SIMカードと、
モデムエンジン内やデバイスのプリント回路基板などの電子回路キャリア内に埋め込まれることがある制御ユニットやマイクロプロセッサとすることがある1つまたは複数のプログラム可能なエージェントと、
を備えることがある。
【００７７】
既存のGPRSにおける基本的なギャップの1つによって、サービスプロバイダに対して常時依拠することなくデバイスおよびSIMをリモートで管理する能力が提供される。本発明は、インターネットとワイヤレスドメインの間に永続的リンクを生成するためにネットワークサーバと通信するようなモデムまたはデバイス内に組み込まれたプログラム可能な制御ユニットであるインテリジェントな「エージェント」を使用する。
【００７８】
図1は、本発明による通信ネットワーク100を示している。通信ネットワーク100は、幾つかのサービスプロバイダと、モバイルネットワーク120にリンクさせた運営者ネットワーク110a〜110eと、幾つかの移動局130a〜130eと、幾つかのクライアントのサイト140a〜140cと、を備える。このクライアントサイト140a〜140cは、コンピュータユニット141a〜141cを含むことがある。
【００７９】
運営者ネットワーク110a〜110eは、モバイル通信向けグローバルシステム(GSM（登録商標）)、ユニバーサルモバイル電気通信システム(UMTS)、汎用パケット無線サービス(GPRS)、符号分割多元接続(CDMA)または拡張データGSM（登録商標）環境(EDGE)その他などのモバイルまたはセルラー通信ネットワークのいずれとすることもできる。この運営者ネットワークはパッケージベースの通信を許可する。運営者ネットワーク(たとえば、120e)はまた、衛星ネットワークなどの非セルラー式ネットワークとすることが可能である。
【００８０】
移動局130a〜130eは運営者のネットワークと通信するように適応させた任意のタイプの通信デバイスを備えることがある。したがって移動局は、送受信機、送信機、カメラを備えることがあり、またモバイルフォン、コンピュータ、携帯型情報端末(PDA)、コンテナ追跡デバイス130e、商品自販機130d、監視カメラ130c、クレジットカード読取機130b、電気メータ、警報、その他などの計測/監視デバイス130aの一部となることがある。
【００８１】
図2の例示的な実施形態に示したような各移動局240は、通信部またはモデム241と、SIMカード242と、アンテナ243と、エージェント244と、を備える。このエージェントは、通常の方式においてメモリや移動局の制御のために必要なその他の部分を含んだ制御ユニットまたはデバイス管理システムの役割をするプログラム可能なマイクロプロセッサである。このSIMカードは、本発明に従った標準的なカードとすることがあるとともに、SIMを発行した元のサービスプロバイダでありかつモバイルネットワークに接続されたプロバイダのうちの1つであるホームサービスプロバイダのAPNプロフィールを含む。このSIMカードは、本発明には関係しないその他の機能を備えることがある。このSIMカードは移動局やモデムの本体上にインプリントされるか本体内に直接埋め込まれることがある。
【００８２】
この通信部またはモデムは、本発明に従った標準的なモデムであるとともに、SIM内にプロフィール設定されたホームサービスプロバイダのAPNに対するSIMオート接続機能およびデバイスとモバイル通信ネットワークの間の双方向通信に関する後続の実装に関する基本のNAT命令を含む。
【００８３】
このエージェントは、本発明によるプログラム可能なマイクロプロセッサであるとともに、SIM内にプロフィール設定されたホームサービスプロバイダのAPNと、SIMオート接続機能およびデバイスとモバイル通信ネットワークの間の双方向通信の後続の実装に関する命令と、を含む。
【００８４】
このエージェントは、モデムを介して双方向通信の実装に続いて、デバイスの情報および識別を提供するとともに、ユーザ要件に従ってSIM接続、ネットワーク技術、デバイス構成およびアプリケーション命令に関するデータベース内に包含されたテーブルに基づいてネットワークサーバからの命令を受け取ることが可能である。
【００８５】
このエージェントは、モデム内にまたは電子回路キャリア内(たとえば、モデムとSIMを接続するプリント回路基板内)に埋め込まれることがあり、またしたがってモデムとSIMの両方に接続されているデバイスの一体部分となっている。
【００８６】
このエージェントはC++、Java（登録商標）またはその目的に適合した他の任意のプログラミング言語でプログラムされることがある。
【００８７】
この移動局はモバイルフォンとして、あるいは火災検知器、CCTVカメラ、警報、制御ユニット、計測ユニット、ロボット、EPOSスワイプカードデバイス、車載テレマティックス装置、その他向けなどの監視デバイスや制御デバイスに取り付けられる送信機/受信機として使用することが可能である。
【００８８】
さらにこの移動局は、ネットワークと通信するためのパッケージ交換通信能力を備えており、またさらにSIMカードまたは識別情報チップと、GPRSモデムまたはチップと、を備える。この移動局は、そのエージェントがモデムを介してサーバからデータおよび命令を受け取ることが可能でありかつ制御ユニットの役割をしながらSIMカードまたはモデムに対して情報を適当な言語に変換して送信することが可能であるようにして構成されている。このエージェントは、幾つかの入ってくるアナログおよび/またはディジタルのデータ入力をパッケージ交換出力(特に、汎用パケット無線サービス(GPRS)ベースの出力)に接続するようにサーバから指示されることが可能である。このSIMカードは、移動局やモデムの本体上にインプリントされるか本体内に直接埋め込まれることがある。このエージェントは、モデム内にまたは電子回路キャリア(たとえば、デバイスのプリント回路基板)内に埋め込まれることがある。
【００８９】
この移動局は、ホームサービスプロバイダネットワークに接続し、ネットワークへの接続を起動させかつデバイスをトライアルモードで動作させることによって工場または組立てプラント内でSIMカードを挿入した状態で事前試験することが可能である。この移動局は、サービスプロバイダネットワークへの接続を起動停止するとともにデバイス内にSIMカードを残すことによって出荷に備えることが可能である。このことをスリープモードでのデバイスの出荷と呼んでいる。移動局がユーザの手中に至ってスイッチがオンにされると、モデムを介してSIMのAPN内にプロフィール設定されたホームネットワークで登録がなされるとともに、前記移動局の国際移動体装置識別(IMEI)番号とすることが可能でありかつモデムおよびエージェントに保存されている一意の識別情報構成によって身元を明らかにして起動の準備が完了したことがシグナリングされることになる。移動局はリモートで起動させ、SIMカード内にプロフィール設定されたホームサービスプロバイダネットワークにオート接続させ、これによりデバイスをスリープモードからアクティブモードに変換することが可能である。オート接続機能に障害があった場合にエージェントは、展開前にその内部にプログラムされた情報によって接続を支援することが可能である。移動局がリモートで起動されると、ネットワークとの常時連絡状態が保たれるとともに、エージェントおよびバックオフィス管理プラットフォーム機能を介してユーザによってこれを管理することが可能である。
【００９０】
ここで図1を見るとモバイルネットワークサイト120は、FTPサーバ、Radiusサーバ、暗号化/復号化、圧縮、その他などのアプリケーションを実行するためのサーバ121を(1つまたは複数)備える。このサーバはまた、上で言及したように移動局の一意の識別情報アドレス、APNアドレス、ネットワーク技術タイプ、デバイスタイプおよびデータベース124内のカスタマー情報を把握している。
【００９１】
サイト120はまた、接続ならびにサーバとサービスプロバイダの間を流れるデータを管理するためのゲートウェイまたはルータ123を備える。
【００９２】
サイト120はまた、サーバサイトの主要な管理規則を包含するとともに、ネットワークとインターネットドメイン内にあるまたはネットワーク接続された管理プラットフォームによって、または別のやり方で指示に従ってその他の手段によって接続された移動局との間の通信を管理するファイアウォール122を(1つまたは複数)備える。
【００９３】
このサーバは、そのすべてが当業者によく知られた方法で構成されかつ動作されているプロセッサ、メモリ、大容量記憶、内部および外部の対話インターフェースを備えたコンピュータであり得る。
【００９４】
このファイアウォールは、サーバがルータ、データベース、インターネット、VPNおよびサービスプロバイダサイトの他のすべての要素と対話する規則を提供するように構成されている。
【００９５】
このファイアウォールはまた、サービスプロバイダサイトのすべての部分およびサービスプロバイダとの接続に対する防衛およびセキュリティの第一線の役割をする。
【００９６】
サーバ121は、パッケージオペレーティングシステムおよび入力データをGPRSデータに変換するための手段と、標準的なハードウェアと、ネットワークおよび移動局に関する情報を保存する能力と、を備えることがある。このサーバはさらに、データおよび通信パラメータを制御するための専用かつ特別な命令セットパッケージと、復号化アルゴリズム向けのサーバベースのソフトウェアと、圧縮アルゴリズム向けのサーバベースのソフトウェアと、を備える。このサーバは、ネットワークに接続されているサービスプロバイダのカスタマー情報やAPNアドレスのテーブルと、様々なタイプの技術、様々なデバイスおよびカスタマーやサービスプロバイダの要件に従ってその中に実装しようとするアプリケーションに関連するテーブルおよび命令と、を保持しているデータベース記憶に接続されている。
【００９７】
このサーバは、カスタマーやそのデバイスに関連する情報をデータベース124内で、当該ユーザに関するグループ内にありかつ他のユーザに割り当てられた他のグループから分離して保存することが好ましい。
【００９８】
さらにこのサーバは、インターネットに接続された管理プラットフォームを介するまたはその他の手段によってネットワーク、基地局およびすべての移動局に関する情報に対するアクセスを提供するようにサードパーティユーザを制御しこれとインターフェースするように構成されている。
【００９９】
サードパーティユーザに提供されるインターフェースは、IPトンネルを用いて仮想プライベートネットワーク(VPN)を通じて公共インターネットを経由したバックオフィス管理機能を介することがあり、これにより情報はウェブベースの画面上でまたはその他の手段によって提供される。このバックオフィス管理システムは、サードパーティユーザの規則に従って提供されるデータへのアクセスを制限することが可能である。
【０１００】
このバックオフィス管理機能は、すべてのモバイルデバイスの状態に関するサードパーティユーザへの情報と、その中を流れているデータと、機能が提供するように要求を受けた課金、統計その他の利用可能な情報と、を提供するように構成されることが好ましい。
【０１０１】
このインターフェースは、サードパーティユーザに対して、サーバを介したSIMおよびデバイスに対する直接制御、したがってSIMおよびデバイスの構成および管理のエージェントを、それらが位置決めされ得るときはいつでも提供し、したがって、それらは、モバイルデバイスが起動すると直接に運営者APN、デバイス構成規則およびカスタマーアプリケーション命令を割り当てまたは再割り当てし、これによりネットワークによって取り扱われるSIM、デバイスおよびデータのすべてを完全に制御下に置くことが可能である。
【０１０２】
このサーバはネットワークの一部でありかつサードパーティユーザVPNや他のサードパーティ接続を管理するように構成されており、またこれによりサードパーティ接続へのゲートウェイとなっている。
【０１０３】
クライアントサイト140は、たとえば移動局の送信、受信および監視のためにコンピュータユニット141を含むことがある。このコンピュータユニットはサービスプロバイダサイトに対して、直接、たとえば、PSTNを通じて、サーバ121を通じて、サービスプロバイダサイトにあるウェブサイトを通じて、制御ユニット125を通じて、あるいはワイヤレスによりゲートウェイ130を通じて、たとえば、GPRSを用いて接続している。
【０１０４】
図3は、中央サーバ301がこのサーバによって管理されたデータベース304内に保存されたSIMおよびデバイス構成を管理するように構成されているような本発明の一態様を示したブロック図である。これらはルータ302に提供される。ルータは、クライアントの移動局303a〜303d内のエージェントに命令を転送するとともに、クライアントによって受け取られたときにこれらは、あたかもデバイスがワイヤレスではなく固定のライン上にあるかのようにして(インターネットや、ネットワークへの他の接続を通じて)直接接続することが可能である。APNやその他のデバイス管理命令は、バックオフィス管理機能を介したサーバデータベースからのテーブルおよび情報を用いてクライアントによってエージェントを通じてSIMおよびモデムに割り当ておよび再割り当てすることが可能である。
【０１０５】
図4は、そのすべてが移動局430にサービスを提供するために利用可能である6つのサービスプロバイダ410a〜410fにモバイルネットワークが接続されているような本発明の一実施形態に従ったネットワークの図であり、ここでSIM432は、ホームサービスプロバイダネットワーク(たとえば、410c)のAPNアドレスによってプロフィール設定されている。このSIMカードは、移動局やモデムの本体上にインプリントされるか本体内に直接埋め込まれることがある。
【０１０６】
移動局430はまた、ワイヤレス送受信機であるようなモデム433を備えるとともにデバイスの通信部の役割をしており、またSIMに対して一体に接続されている。このモデムは、データの入力および出力の送信および受信を除いて、展開前に何らかの命令や情報によりプログラムされていないことがある。
【０１０７】
この移動局はまた、ホームサービスプロバイダネットワーク、410cのAPNを担うエージェント434を組み込まれている。上で言及したようにこのエージェントは、プログラム可能なマイクロプロセッサを備えることがあり、またモデム内または電子回路キャリア(たとえば、同じくSIMおよびモデムに接続されこれによりこの3つの要素が一体に接続されるとともにネットワークによって1つのシステムと見なされるようなプリント回路基板)内に埋め込まれることがある。このエージェントはC++、Java（登録商標）またはその目的に適合した他の任意のプログラミング言語でプログラムできることが好ましい。
【０１０８】
デバイスを起動させたときに、モデム433はホームサービスプロバイダネットワーク410cにオート接続しているSIM432で指定されたホーム運営者のAPNアドレスを呼び出す。モバイルネットワークサーバ420およびユーザ450が、たとえばソフトウェアプラットフォームバックオフィス機能440を介してセキュアな識別を保証するためにその一意の識別番号を付与していることが通知される。
【０１０９】
ユーザ450(クライアントサイト)は、仮想プライベートネットワーク(VPN)を通じたまたはその他の手段によるIPトンネル処理を介して管理プラットフォーム440への接続によってネットワークによるアクセス、またこの逆のアクセスを受けることが好ましい。
【０１１０】
モバイルネットワークのサーバは、デバイスの一意の識別番号をサーバデータベース内に包含されたカスタマー履歴とマッチングさせるとともに、命令が送られた場合にSIM、モデムおよびエージェントを1つのシステムと見なすこと、ならびにそれがモデムとSIMに直接接続されてデバイスの一体部分となっているため同じくAPNアドレスおよび一意の識別番号を包含したエージェントとの通信に入ることが好ましい。このサーバは、そのデータベース内に包含されたカスタマー履歴およびテーブルを調べ、またユーザ要件に従ってデバイスを構成するのに必要な命令をエージェントに伝送することになる。これらの命令は、
指定の当該デバイス製造に関しかつ当該サービスプロバイダが使用する技術によって要求される構成規則、
ユーザアプリケーションがデバイスによって実行しようとする命令、
指定されたサービスプロバイダのAPNアドレス、
効率よくかつ費用対効果のよい方式でその機能を実行するためにデバイスが要求する他の任意の情報、
(ただし、これらに限らない)を含むことがある。
【０１１１】
一実施形態ではそのエージェントは、任意のサードパーティユーザとデバイスの間に設定される(IP)トンネルを介して、またはインターネットを経由するまたはその他の手段によるUDPまたは他の任意のMNOプロトコルを用いたオープンセッションを介して、サーバから情報を受け取り、次いでこの情報を変換してこれをSIMおよびデバイスによって使用される言語で中継するようにプログラムされることがある。
【０１１２】
一実施形態ではそのエージェントは、デバイスがサーバから受け取った命令に従って構成されていることを確認することが可能であり、かつそのアプリケーションの実行を即座に開始し適当なサービスプロバイダのAPNを介してサーバに情報を連続して伝送することが可能である。
【０１１３】
一実施形態ではそのサーバは、モバイル通信向けグローバルシステム(GSM（登録商標）)、ユニバーサルモバイル電気通信システム(UMTS)、汎用パケット無線サービス(GPRS)または拡張データGSM（登録商標）環境(EDGE)その他、あるいはその任意の世代のもの(たとえば、2G、3G、4G)などデバイス内のエージェントによる任意のネットワーク技術に関する構成に適した命令の受け取りを可能にするユビキタスインターフェースを装備する。
【０１１４】
一実施形態では管理プラットフォーム440は、モバイルネットワーク420に接続されることになるとともに、サーバからユーザ450への情報およびユーザからサーバへの命令を提供し移動局430に伝送させることになる。
【０１１５】
一実施形態では、指定のサービスプロバイダがホーム運営者のネットワークでない場合にそのエージェントは、ホーム運営者のネットワークが410cでありかつ指定のサービスプロバイダネットワークがたとえば410eであるような図4に示したように、SIMに対して適当な新たなAPNアドレスの連絡およびこのネットワークへのオート接続を可能にさせるための管理デバイスの役割をすることが可能である。
【０１１６】
このエージェントは、APN410eを検索するようにSIMに指示することになり、かつSIMが登録されると運営者は、オート接続機能に対してその呼び出しの保持を可能にさせかつデバイスを新たな運営者のAPNに無線で接続するようにこれを再構成させるようにエージェントへの受け渡しを構成することになる。このエージェントは次いで、モバイルネットワークに対してその新たな接続状態を確認することになる。移動局は、モバイルネットワークのサーバにリンクさせたエージェントのデバイス管理知能を用いることによってモデムを通じたネットワークへの永続的な接続を維持することになる。
【０１１７】
「を備えた(comprising)」という表現はリストした要素やステップ以外の要素やステップの存在を排除するものではなく、また要素の前に「a」や「an」を付けた語はこうした要素が複数存在することを排除するものではないことに留意すべきである。参照符号はいずれも本特許請求の範囲を限定するものでないこと、本発明を少なくともその一部がハードウェアとソフトウェアの両方によって実装し得ること、ならびに幾つかの「手段」、「ユニット」または「デバイス」を同じハードウェアアイテムによって表現することがあることにさらに留意すべきである。
【０１１８】
本明細書で使用する場合に「デバイス」という用語は任意のタイプの移動局、無線電話機、セルラー無線電話機にデータ処理を組み合わせ得るような個人用通信システム(PCS)端末、無線電話機やワイヤレス通信システムを含むことが可能な携帯型情報端末(PDA)、ラップトップ、通信能力を有するカメラ、およびパーソナルコンピュータ、ホーム娯楽システム、テレビジョン、現金預払装置、その他など送受信が可能な他の任意の計算および通信デバイスを含むものと広く解釈すべきである。
【０１１９】
本明細書に記載した本発明の様々な実施形態について、一実施形態においてネットワーク環境内のコンピュータにより実行されるプログラムコードなどのコンピュータで実行可能な命令を含むコンピュータ読取り可能媒体の形で具現化されたコンピュータプログラム製品によって実装し得るような方法のステップまたは処理に関する一般的なコンテキストで記載している。コンピュータ読取り可能媒体は、読み出し専用メモリ(ROM)、ランダムアクセスメモリ(RAM)、コンパクトディスク(CD)、ディジタル多目的ディスク(DVD)、その他(ただし、これらに限らない)を含めた取外し可能な記憶デバイスや取外し不可能な記憶デバイスを含むことがある。一般にプログラムモジュールは、特定のタスクを実行するまたは特定の抽象データタイプを実装するルーチン、プログラム、オブジェクト、コンポーネント、データ構造、その他を含むことがある。コンピュータ実行可能な命令、関連するデータ構造、およびプログラムモジュールは、本明細書で開示した方法のステップを実行するためのプログラムコードの例を示している。こうした実行可能な命令や関連するデータ構造に関する特定のシーケンスは、こうしたステップや処理に記載された機能を実装するための対応する動作の例を示したものである。
【０１２０】
本発明の様々な実施形態に関するソフトウェアやウェブ実装は、規則ベースのロジックおよび様々なデータベース検索のステップや処理、相関のステップや処理、比較のステップや処理、および判断のステップや処理を実現するためのその他のロジックによる標準的なプログラミング技法によって実現することが可能である。本明細書でまた添付の特許請求の範囲で使用する場合に「コンポーネント」および「モジュール」という語は、1つまたは複数行のソフトウェアコードを用いた実装、および/またはハードウェア実装、および/または手作業の入力を受け入れるための装置を包含するように意図していることに留意すべきである。
【０１２１】
本発明の実施形態に関する上述した説明は、図示および説明のために提示したものである。上述した説明は、網羅的とすることや本発明の実施形態を開示した詳細な形態に限定することを意図していない、また上述した教示に照らして修正や変更が可能でありあるいは修正や変更が本発明の様々な実施形態の実施から得られることもある。本明細書で検討した実施形態は、企図される特定の使用に適するように当業者が様々な実施形態によりまた様々な修正を伴って本発明を利用できるように本発明の様々な実施形態の原理および性質ならびにその実際上の応用を説明するために選択し記載したものである。本明細書に記載した実施形態の特徴は、方法、装置、モジュール、システムおよびコンピュータプログラム製品の可能なすべての組合せで組み合わせることができる。
【０１２２】
本発明は、図示した実施形態に限定されるものではなく、添付の特許請求の範囲を逸脱することなく幾つかの方法で変更することが可能であり、かつその構成および方法は用途、機能ユニット、ニーズおよび要件その他に応じた様々な方法で実装することが可能である。
【符号の説明】
【０１２３】
100  通信ネットワーク
110a〜110e  運営者ネットワーク
120  モバイルネットワーク
121  サーバ
122  ファイアウォール
123  ルータ
124  データベース
125  制御ユニット
130a〜130e  移動局
130a  計測/監視デバイス
130b  クレジットカード読取機
130c  監視カメラ
130d  商品自販機
130e  コンテナ追跡デバイス
140a〜140c  クライアントサイト
141a〜141c  コンピュータユニット
240  移動局
241  通信部またはモデム
242  SIMカード
243  アンテナ
244  エージェント
301  中央サーバ
302  ルータ
303a〜303d  移動局
304  データベース
410a〜410f  サービスプロバイダ
410c  ホームサービスプロバイダネットワーク、ホーム運営者のネットワーク
410e  サービスプロバイダネットワーク
420  モバイルネットワークサーバ
430  移動局
432  SIM
433  モデム
434  エージェント
440  ソフトウェアプラットフォームバックオフィス機能
440  管理プラットフォーム
450  ユーザ、クライアントサイト
【図１】
2016500946.tif 000003
【図２】
2016500946.tif 000004
【図３】
2016500946.tif 000005
【図４】
2016500946.tif 000006
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
パッケージ交換通信能力を有するモバイル通信ネットワーク(100)であって、
1つまたは複数のネットワーク(110a〜110e)を通じて前記通信ネットワークとの通信を提供する1つまたは複数のサービスプロバイダサーバと、
前記ネットワークのいずれかに接続可能な1つまたは複数の移動局(130a〜130e、230、430)と、
を備えており、制御器(125)と通信するデータベース内に包含された命令を前記移動局(130a〜130e、230、430)に提供するように構成された制御器(125)を備え、前記移動局は、ネットワークサーバと通信するように構成された、前記移動局のモデム(241)内に組み込まれたプログラム可能な制御ユニットを備えたエージェント(244)を備え、前記制御ユニットは、インターネットとワイヤレスドメインの間に永続的なリンクを生成するように前記移動局と前記移動局のSIMとをリモートで管理し、前記移動局の構成および管理のための命令を提供するように構成されることを特徴とするモバイル通信ネットワーク。
【請求項２】
前記データベースが、
前記モバイル通信ネットワークに接続された運営者ネットワークのアクセスポイント名(APN)アドレスのテーブル、
前記運営者ネットワークによって使用される技術に従ったデバイスの構成を容易にするためのユビキタスインターフェース、
様々な製造者からの移動局内の様々なタイプのモデムに関する構成規則のテーブル、
多くのバーチカルな産業アプリケーションに関する命令のテーブル、
前記ネットワーク上に展開されたすべてのカスタマーデバイスに関する一意の識別番号を包含したカスタマーファイル、
のうちの少なくとも1つを包含する、請求項1に記載のネットワーク。
【請求項３】
前記一意の識別情報が前記移動局の国際移動体装置識別(IMEI)の番号である、請求項2に記載のネットワーク。
【請求項４】
前記サーバは、
各移動局においてSIM内にプロフィール設定された（profiled）ホームサービス運営者のネットワークのAPNアドレス、
ネットワーク技術を含め展開に関するその地理的および/または追加的な側面に従ったすべての移動局のSIM接続のための指定のAPNアドレス、
製造者のおよびユーザの要件に従ったすべての移動局の構成、
ユーザ要件に従ったすべての移動局に関するアプリケーション命令、
のうちの1つまたは複数に関する情報をさらに記憶している、請求項2または3に記載のネットワーク。
【請求項５】
前記サーバは、前記サーバとデバイスの間に設定されるIPトンネルを使用してモデムを介して、あるいはインターネットを経由したユーザデータグラムプロトコル(UDP)またはモバイルネットワーク運営者(MNO)プロトコルを用いたオープンセッションを介して前記エージェントと通信するように構成されている、請求項1に記載のネットワーク。
【請求項６】
通信ネットワークで使用される移動局(13a〜13e、230、430)であって、
パッケージ交換通信のための手段と、
少なくとも1つの一意の識別情報構成と、
少なくとも1つのGPRSモデムデバイス(241)と、
少なくとも1つのSIM(242)と、
少なくとも1つの制御ユニットまたはエージェント(244)と、
を備えており、前記制御ユニットまたはエージェント(244)はプログラム可能であり、前記モデム(241)内に組み込まれ、前記制御ユニットは、前記ネットワークのデータベース内に包含された命令を取得するためにネットワークサーバと通信し、インターネットとワイヤレスドメインの間に永続的なリンクを生成するようにリモートで指示されかつ管理されるように構成され、前記移動局はネットワークサーバから前記制御ユニットを介して情報および命令を受け取るための受信機をさらに備え、前記移動局は、ホームサービスプロバイダネットワークに自動的に接続するように構成された前記SIM(432)内に指定されたホーム運営者のAPNアドレスを呼び出すように構成され、セキュアな識別を保証するためにモバイルネットワークサーバ(420)にその一意の識別番号を付けるように通知することを特徴とする移動局。
【請求項７】
前記一意の識別情報構成は前記移動局の国際移動体装置識別(IMEI)番号であり、前記移動局を識別するために使用されている、請求項6に記載の移動局。
【請求項８】
前記SIMカードは、
副次的な識別手段の役割をする前記ホームサービスプロバイダネットワークの前記APNアドレスを用いてプロフィール設定され、
別個のものであり、保持用スロット内に挿入されるか、前記移動局やモデムの本体上にインプリントされるか前記本体内に直接埋め込まれる、
請求項6に記載の移動局。
【請求項９】
前記APNアドレスは前記制御ユニット内およびネットワークサーバデータベースのカスタマーファイル内に包含されている、請求項6に記載の移動局。
【請求項１０】
前記デバイス内の前記モデムは、前記SIMの登録およびオート接続を許容するためだけに前記ホーム運営者に連絡するようにプログラムされている、請求項6に記載の移動局。
【請求項１１】
前記ネットワークによって、SIMカードまたはチップをサービスプロバイダネットワークに対してそのAPNアドレスを通して接続および/または切断するように指示されるように構成されている請求項6に記載の移動局。
【請求項１２】
前記APNアドレスがネットワークサーバのデータベース内にあるテーブルに包含されている、請求項6に記載の移動局。
【請求項１３】
前記モデムには、前記SIM内にプロフィール設定された前記ホーム運営者のAPNアドレスのみが提供されている、請求項6に記載の移動局。
【請求項１４】
前記SIMカードまたはチップは、展開の間に前記デバイスの内部に設けられ、最終ユーザによってオンに切替えられるときにリモートで再起動され、かつ前記ホームサービスプロバイダネットワークにオート接続される、請求項6に記載の移動局。
【請求項１５】
リモートで起動され、前記エージェントを介して前記ネットワークと、およびバックオフィス機能を介してユーザと常時連絡状態に保たれるように構成されている、請求項6に記載の移動局。
【請求項１６】
前記SIMカードまたはチップの前記接続は、モバイルネットワークに接続された他の任意のサービスプロバイダに移行されるように構成されており、
前記SIMカードまたはチップは前記ネットワークによって前記エージェントを介して、前記SIMカードまたはチップにプロフィール設定されたホームサービスプロバイダのAPNから切断するように指示されるように構成されており、
前記SIMカードまたはチップは前記ネットワークによって前記エージェントを介して、サーバデータベース内に包含された指定のサービスプロバイダAPNアドレスに接続するように指示されるように構成されている、
請求項6に記載の移動局。
【請求項１７】
前記制御ユニットは、
前記サーバから受け取るに従って情報を前記SIMおよび/または前記モデムに中継するステップと、
前記サーバと前記デバイスの間に(IP)トンネルを設定するか、UDPまたは他の任意のMNOプロトコルを用いてインターネットを経由してオープンセッションを構成するステップと、
前記ホーム運営者のネットワークに対する前記デバイス内の前記SIMの登録およびオート接続を監視するために前記ネットワークサーバと通信するステップと、
障害発生時に前記ホーム運営者のネットワークに対する前記デバイス内の前記SIMの登録およびオート接続を支援するステップと、
前記サーバデータベース内に包含された規則から前記デバイスの前記構成に関する命令を提供するためにネットワークサーバと通信するステップと、
前記カスタマーファイルおよび前記サーバデータベース内に包含されたAPNアドレスの前記テーブル内に包含された情報に従って前記デバイス内の前記SIMの接続の前記ホーム運営者のネットワークから別の指定のネットワークへの移行に関する命令を提供するためにネットワークサーバと通信するステップと、
前記SIMに指定のAPNを検索するように指示するステップであって、前記SIMが登録されると前記運営者はオート接続機能に前記呼び出しを保持させるために前記エージェントへのハンドオフを構成し、前記デバイスを新たな運営者のAPNに接続するように無線で再構成し、前記エージェントは次いで前記モバイルネットワークに対してその新たな接続状態を確認し、前記移動局は前記エージェントのデバイス管理知能を用いることによって前記モデムを通じて前記ネットワークへの永続的接続を維持する、ステップと、
ユビキタスインターフェースによって異なる技術を用いた別の運営者への接続の移行を容易にするためにネットワークサーバと通信するステップと、
前記カスタマーファイルおよび前記サーバデータベース内に包含されたバーチカルなアプリケーションの前記テーブル内に包含された前記情報に従って前記デバイス内へのアプリケーション命令のロードに関する命令を提供するためにネットワークサーバと通信するステップと、
前記ネットワークサーバからの命令を受けて前記SIMを前記ネットワークから切断するステップと
のうちの少なくとも1つを実行するようにプログラムされている、請求項6から16のいずれか一項に記載の移動局。
【請求項１８】
パッケージ交換通信能力を有するモバイル通信ネットワーク(100)内のノードであって、
制御器(125)と通信する前記ノードのデータベース内に包含された命令を移動局(130a〜130e、230、430)に提供するように構成された制御器(125)を備え、前記移動局は、前記ノードと通信するように構成された、前記移動局のモデム(241)内に組み込まれたプログラム可能な制御ユニットを備えたエージェント(244)を備え、前記制御ユニットは、前記移動局の構成および管理のための命令を提供し、前記移動局と前記移動局のSIMとをリモートで管理し、インターネットとワイヤレスドメインの間に永続的なリンクを生成するように構成されることを特徴とするノード。
【請求項１９】
前記データベースは少なくとも、
前記モバイル通信ネットワークに接続された運営者ネットワークのアクセスポイント名(APN)アドレスのテーブルと、
前記運営者ネットワークによって使用される技術に従ったデバイスの構成を容易にするためのユビキタスインターフェースと、
様々な製造者からの移動局内の様々なタイプのモデムに関する構成規則のテーブルと、
多くのバーチカルな産業アプリケーションに関する命令のテーブルと、
前記ネットワーク上に展開されたすべてのカスタマーデバイスに関する一意の識別番号を包含したカスタマーファイルと、
を包含する、請求項18に記載のノード。
【請求項２０】
サーバは、
各移動局においてSIM内にプロフィール設定されたホームサービス運営者のネットワークのAPNアドレス、
ネットワーク技術を含め展開に関するその地理的および/または追加的な側面に従ったすべての移動局のSIM接続のための指定のAPNアドレス、
製造者のおよびユーザの要件に従ったすべての移動局の構成、
ユーザ要件に従ったすべての移動局に関するアプリケーション命令、
のうちの1つまたは複数に関する情報をさらに包含する、請求項18または19に記載のノード。
【国際調査報告】
2016500946.tif 000007
2016500946.tif 000008
2016500946.tif 000009
2016500946.tif 000010
2016500946.tif 000011
2016500946.tif 000012